(57)【要約】【課題】複数の信号を効率的に生成することができる選択支援装置、選択支援システム、選択支援方法及び選択支援プログラムを提供することである。【解決手段】実施形態の選択支援装置は、操作部と、信号抽出部と、信号群生成部とを持つ。操作部は、信号の識別番号である信号ＩＤに対応付けられた画像が配置されている画面における領域を指定する操作を受け付ける。信号抽出部は、指定された領域に配置されている画像に対応付けられた信号ＩＤをデータベースから抽出する。信号群生成部は、抽出された信号ＩＤを含む信号ＩＤ群を生成する。【選択図】図２
2018060461.tif 000002
【特許請求の範囲】
【請求項１】
信号の識別番号である信号ＩＤに対応付けられた画像が配置されている画面における領域を指定する操作を受け付ける操作部と、
指定された前記領域に配置されている前記画像に対応付けられた前記信号ＩＤをデータベースから抽出する信号抽出部と、
抽出された前記信号ＩＤを含む信号ＩＤ群を生成する信号群生成部と、
を備える選択支援装置。
【請求項２】
前記信号群生成部は、複数の前記信号ＩＤ群を含むグループを生成する、請求項１に記載の選択支援装置。
【請求項３】
前記信号抽出部は、前記画像の座標が前記領域に含まれている場合、前記画像に対応付けられた前記信号ＩＤをデータベースから抽出する、請求項１又は請求項２に記載の選択支援装置。
【請求項４】
時間に関する条件を定める条件部と、
生成された前記信号ＩＤ群に含まれている前記信号ＩＤが付与された信号の時系列データを取得し、前記時間に関する条件を満たすデータを前記時系列データから選択する時系列選択部と、
をさらに備える、請求項１から請求項３のいずれか一項に記載の選択支援装置。
【請求項５】
前記条件部は、期間又は周期に関する条件を前記時間に関する条件として定める、請求項４に記載の選択支援装置。
【請求項６】
複数の機器又はセンサから複数の信号を取得する制御部
を有する監視装置と、
前記信号の識別番号である信号ＩＤに対応付けられた画像が配置されている画面における領域を指定する操作を受け付ける操作部と、
指定された前記領域に配置されている前記画像に対応付けられた前記信号ＩＤをデータベースから抽出する信号抽出部と、
抽出された前記信号ＩＤを含む信号ＩＤ群を生成する信号群生成部と、
を有する選択支援装置と、
生成された前記信号ＩＤ群に含まれた前記信号ＩＤに対応付けられた信号に基づいて前記機器の状況を診断する診断部
を有する診断装置と、
を備える選択支援システム。
【請求項７】
選択支援装置が実行する選択支援方法であって、
信号の識別番号である信号ＩＤに対応付けられた画像が配置されている画面における領域を指定する操作を受け付けるステップと、
指定された前記領域に配置されている前記画像に対応付けられた前記信号ＩＤをデータベースから抽出するステップと、
抽出された前記信号ＩＤを含む信号ＩＤ群を生成するステップと、
を含む選択支援方法。
【請求項８】
コンピュータに、
信号の識別番号である信号ＩＤに対応付けられた画像が配置されている画面における領域を指定する操作を受け付ける手順と、
指定された前記領域に配置されている前記画像に対応付けられた前記信号ＩＤをデータベースから抽出する手順と、
抽出された前記信号ＩＤを含む信号ＩＤ群を生成する手順と、
を実行させるための選択支援プログラム。
【発明の詳細な説明】
【技術分野】
【０００１】
本発明の実施形態は、選択支援装置、選択支援システム、選択支援方法及び選択支援プログラムに関する。
【背景技術】
【０００２】
センサの信号に基づいて機器等の異常を診断するユーザは、膨大な数の信号が列挙された一覧表から、機器等の異常の診断に用いられる複数の信号を選択する場合がある。しかしながら、ユーザは、膨大な数の信号が列挙された一覧表から複数の信号の全てを正しく選択することができない場合があった。
【先行技術文献】
【特許文献】
【０００３】
【特許文献１】特許第３４４８２６９号公報
【発明の概要】
【発明が解決しようとする課題】
【０００４】
本発明が解決しようとする課題は、膨大な数の信号からユーザが信号を正しく選択することを支援することができる選択支援装置、選択支援システム、選択支援方法及び選択支援プログラムを提供することである。
【課題を解決するための手段】
【０００５】
実施形態の選択支援装置は、操作部と、信号抽出部と、信号群生成部とを持つ。操作部は、信号の識別番号である信号ＩＤに対応付けられた画像が配置されている画面における領域を指定する操作を受け付ける。信号抽出部は、指定された領域に配置されている画像に対応付けられた信号ＩＤをデータベースから抽出する。信号群生成部は、抽出された信号ＩＤを含む信号ＩＤ群を生成する。
【図面の簡単な説明】
【０００６】
【図１】実施形態の監視制御システムの構成の例を示す図。
【図２】実施形態の監視装置及び選択支援装置の構成の例を示す図。
【図３】実施形態のグラフィック画面の定義ファイルの例を示す図。
【図４】実施形態の機器群の信号の定義ファイルの例を示す図。
【図５】実施形態の外調機が設置された建物の９階の平面図の表示例を示す図。
【図６】実施形態の電力系統図の表示例を示す図。
【図７】実施形態の熱源系統図の表示例を示す図。
【図８】実施形態の抽出対象の信号の指定の例を示す図。
【図９】実施形態の信号の抽出結果の例を示す図。
【図１０】実施形態の信号ＩＤ群の階層の例を示す図。
【図１１】実施形態の系統のデータ構造の例を示す図。
【図１２】実施形態の系統を追加、編集又は削除する操作画面の例を示す図。
【図１３】実施形態の診断グループのデータ構造の例を示す図。
【図１４】実施形態の診断グループを編集又は削除する操作画面の例を示す図。
【図１５】実施形態の診断用トレンドデータを生成するための操作画面の例を示す図。
【図１６】実施形態の診断用トレンドデータの生成の進捗を表示する画面の例を示す図。
【図１７】実施形態の診断用トレンドデータのファイル一覧の例を示す図。
【図１８】実施形態の診断用トレンドデータのファイルの例を示す図。
【図１９】実施形態の選択支援装置の動作の例を示すフローチャート。
【発明を実施するための形態】
【０００７】
以下、実施形態の選択支援装置、選択支援システム、選択支援方法及び選択支援プログラムを、図面を参照して説明する。
【０００８】
図１は、監視制御システム１の構成の例を示す図である。監視制御システム１は、建物に設置された機器等の監視対象を監視及び制御するシステムである。監視制御システム１は、センサ異常診断や省エネルギー診断に用いられる複数の信号を膨大な数の信号からユーザが正しく選択することを支援する選択支援システムとしての機能を有する。監視制御システム１は、例えば、温度センサ及び流量センサが出力した信号に基づいて監視対象を監視する。監視制御システム１は、機器群１０−１〜１０−Ｎ（Ｎは、１以上の整数）と、制御装置２０−１〜２０−Ｎと、監視装置３０と、選択支援装置４０と、診断装置５０と、通信回線６０とを備える。
【０００９】
機器群１０は、監視制御システム１の監視対象である機器を含む。機器群１０は、建物、水処理施設等に設置される。機器群１０は、冷熱源機器１１と、外調機１２と、温度センサ１３と、ポンプ１４と、流量センサ１５と、通信回線１６とを備える。図１では、監視制御システム１の監視対象は、一例として、冷熱源機器１１と、外調機１２と、温度センサ１３に関する信号と、ポンプ１４と、流量センサ１５に関する信号とである。
【００１０】
冷熱源機器１１は、冷水、温水、冷風又は温風等の熱媒体を用いて建物内の温度を調整する機器である。外調機１２は、制御装置２０による制御に応じて建物内を換気する機器である。例えば、外調機１２は、外気を建物内に供給することによって建物内を換気する。
【００１１】
温度センサ１３は、外調機１２が建物内に供給する外気の温度を計測する。温度センサ１３は、外調機１２が室内に供給する温度を表す信号を、制御装置及び通信回線６０を介して、監視装置３０に送信する。
【００１２】
ポンプ１４は、制御装置２０による制御に応じて、冷水、温水、冷風又は温風等の熱媒体を建物内に送る。流量センサ１５は、外調機１２が建物内に供給する外気の流量を計測する。流量センサ１５は、外調機１２が建物内に供給する外気の流量を表す信号を、制御装置２０を介して監視装置３０に送信する。通信回線１６は、機器群１０と制御装置２０との間の通信を中継する。通信回線１６は、例えば、ＬＡＮ（Local Area Network）である。
【００１３】
制御装置２０は、情報処理装置である。制御装置２０は、監視装置３０による指示に応じて、機器群１０の機器の動作を制御する。
【００１４】
監視装置３０は、情報処理装置である。監視装置３０は、機器群１０の機器に関する信号に基づいて、機器群１０の機器の異常を監視する。監視装置３０は、機器群１０のセンサに関する信号に基づいて、建物内の温度等の異常を監視する。監視装置３０は、機器群１０の信号を選択支援装置４０に送信する。監視装置３０は、制御装置２０を介して、機器群１０の機器の動作を制御する。
【００１５】
機器群１０の信号の数は、例えば、数百から十万点である。機器群１０の信号には、信号の識別番号（以下「信号ＩＤ」という。）が付与されている。選択支援装置４０は、操作部４４で選択される条件に基づいて、監視装置３０に記録されている機器群１０の信号群から１以上の信号を選択してもよい。つまり、監視装置３０は機器群１０の信号群を取得するが、選択支援装置４０は機器群１０の信号群の一部の信号のみを取得してもよい。これによって、選択支援装置４０は、通信回線６０における通信量を削減することができる。
【００１６】
選択支援装置４０は、センサ異常診断や省エネルギー診断に用いられる複数の信号を膨大な数の信号からユーザが正しく選択することを支援する装置である。選択支援装置４０は、機器群１０の複数の信号に付与された信号ＩＤ群から信号ＩＤを抽出する。選択支援装置４０は、抽出された信号ＩＤを含む信号ＩＤ群を生成する。選択支援装置４０は、抽出された信号ＩＤを含む信号ＩＤ群から条件を満たす複数の信号ＩＤを選択することによって、選択された複数の信号ＩＤが付与された複数の信号を生成する。選択支援装置４０は、選択された複数の信号に含まれている信号の時系列データである診断用トレンドデータを、診断装置５０に送信する。
【００１７】
診断装置５０は、情報処理装置である。診断装置５０は、通信部５１と、診断部５２とを備える。通信部５１は、選択支援装置４０との通信を実行する。通信部５１は、例えば、診断用トレンドデータを選択支援装置４０から受信する。診断部５２は、診断用トレンドデータに基づいて、複数の信号ごとに機器群１０の信号を分析する。診断部５２は、分析結果に基づいて機器群１０の状況を診断する。通信回線６０は、ＬＡＮやインターネット等の通信回線である。
【００１８】
図２は、監視装置３０及び選択支援装置４０の構成の例を示す図である。監視装置３０は、データベース３１と、制御部３２と、通信部３３とを備える。制御部３２と通信部３３とのうち一部又は全部は、例えば、ＣＰＵ（Central Processing Unit）等のプロセッサが、記憶部に記憶されたプログラムを実行することにより実現されてもよい。制御部３２と通信部３３とのうち一部又は全部は、ＬＳＩ（Large Scale Integration）やＡＳＩＣ（Application Specific Integrated Circuit）等のハードウェアを用いて実現されてもよい。
【００１９】
データベース３１は、磁気ハードディスク装置や半導体記憶装置等の不揮発性の記録媒体（非一時的な記録媒体）を有する記憶装置である。データベース３１は、機器群１０の信号の時系列データを、機器群１０の機器及びセンサごとに記憶する。データベース３１は、１以上の画像が配置されている画面（以下「グラフィック画面」という。）の定義ファイルを記憶する。グラフィック画面には、固有の番号が付与されている。グラフィック画面は、選択支援装置４０の表示部に表示される。データベース３１は、機器群１０の信号の定義ファイルを記憶する。
【００２０】
図３は、グラフィック画面の定義ファイルの例を示す図である。グラフィック画面の定義ファイルは、例えば、ＸＭＬ（Extensible Markup Language）形式のデータファイルとして記述される。以下、信号ＩＤが対応付けられる画像を「シンボル画像」という。グラフィック画面の定義ファイルは、グラフィック画面に配置されているシンボル画像の座標情報（left，top，width，height）を含む。シンボル画像の座標情報は、グラフィック画面の定義ファイルにおいて、信号ＩＤに予め対応付けられる。
【００２１】
図４は、機器群１０の信号の定義ファイルの例を示す図である。機器群１０の信号の定義ファイルは、例えば、ＣＳＶ（comma-separated values）形式で記述される。機器群１０の信号は、複数の信号属性を含む。信号属性は、例えば、信号ＩＤと、監視区分と、信号名称と、単位と、小数点以下桁数とである。信号ＩＤは、例えば、ＢＡＣｎｅｔ（A Data Communication Protocol for Building Automation and Control Network）規格に準拠した識別情報である。例えば、信号ＩＤは、デバイスＩＤ、信号種別（ポイント種別）及びインスタンスＩＤを含んでもよい。異なる信号ＩＤは、同一のシンボル画像に対応付けられてもよい。また、同一の信号ＩＤは、異なるシンボル画像に対応付けられてもよい。
【００２２】
機器群１０の信号は、機器群１０の信号の定義ファイルがＣＳＶ形式で記述された場合、信号ごとに１行で記述されてもよい。信号属性は、機器群１０の信号の定義ファイルがＣＳＶ形式で表現される場合、カンマで区切られる。機器群１０の信号の定義ファイルは、コメントを表すテキストデータを含んでもよい。
【００２３】
制御部３２は、機器群１０の動作を制御するための指示信号を、制御装置２０に送信する。指示信号は、例えば、冷熱源機器１１の設定温度を示す信号、外調機１２のファンの回転数を示す信号、ポンプ１４の出力を示す信号である。
【００２４】
制御部３２は、機器群１０の複数の信号を、機器群１０の複数の機器又はセンサから制御装置２０を介して取得する。機器群１０の信号は、電力値、センサ値及び状態値等を表す。制御部３２は、データベース３１が記憶している機器群１０の信号群から１以上の信号を、予め定められた条件に基づいて選択してもよい。制御部３２は、選択した信号を、通信部３３を介して選択支援装置４０に送信してもよい。これによって、制御部３２は、通信回線６０における通信量を削減することができる。通信部３３は、制御装置２０及び選択支援装置４０との通信を実行する。
【００２５】
選択支援装置４０は、通信部４１と、データベース４２と、表示部４３と、操作部４４と、信号抽出部４５と、信号群生成部４６と、条件部４７と、時系列選択部４８とを備える。通信部４１と信号抽出部４５と信号群生成部４６と条件部４７と時系列選択部４８とのうち一部又は全部は、例えば、ＣＰＵ等のプロセッサが、記憶部に記憶されたプログラムを実行することにより実現されてもよい。通信部４１と信号抽出部４５と信号群生成部４６と条件部４７と時系列選択部４８とのうち一部又は全部は、ＬＳＩやＡＳＩＣ等のハードウェアを用いて実現されてもよい。
【００２６】
通信部４１は、監視装置３０及び診断装置５０との通信を実行する。通信部４１は、監視装置３０から取得した信号を、データベース４２に記録する。通信部４１は、データベース４２に記録されている診断用トレンドデータを、診断装置５０に送信する。通信部４１は、信号群生成部４６が生成した信号ＩＤ群に基づく信号群を、診断装置５０に送信してもよい。
【００２７】
データベース４２は、磁気ハードディスク装置や半導体記憶装置等の不揮発性の記録媒体（非一時的な記録媒体）を有する記憶装置である。データベース４２は、機器群１０の信号の時系列データを記憶する。データベース４２は、グラフィック画面の定義ファイルを記憶する。データベース４２は、機器群１０の信号の定義ファイルを記憶する。データベース４２は、時系列選択部４８が生成した診断用トレンドデータを記憶する。
【００２８】
表示部４３は、操作キー等が配置された操作画面を表示する。表示部４３は、グラフィック画面の定義ファイルに基づいて、グラフィック画面を表示する。表示部４３は、複数のグラフィック画面を同一画面に表示してもよい。グラフィック画面は、機器群１０の機器の状態等を計測したセンサの信号に付与された信号ＩＤに対応付けられた１以上のシンボル画像を含む。グラフィック画面におけるシンボル画像の配置は、機器群１０のセンサの異常診断の単位や、機器群１０の機器の省エネルギー診断の単位で、まとめられていることが多い。例えば、シンボル画像の配置は、建物における計装フロー（Instrumentation flow）を表現するように、まとめられていることが多い。例えば、シンボル画像の配置は、制御の因果関係を表現するように、まとめられていることが多い。
【００２９】
図５は、外調機１２が設置された建物の９階の平面図の表示例を示す図である。外調機１２「ＯＨＵ−９−ＮＷ」は、建物の９階の北西側の区画を換気する。外調機１２「ＯＨＵ−９−Ｎ」は、建物の９階の北側の区画を換気する。図５では、外調機１２の信号に付与された信号ＩＤに対応付けられたシンボル画像の配置がまとめられている。シンボル画像７０は、建物の９階の北西側の区画を換気する外調機１２の信号に付与された信号ＩＤに対応付けられた画像である。シンボル画像８０は、建物の９階の北側の区画を換気する外調機１２の信号に付与された信号ＩＤに対応付けられた画像である。シンボル画像は、さらに小さいシンボル画像を含んでいてもよい。表示部４３は、さらに広い範囲についての建物の平面図を表示してもよい。なお、図５において「９９９．９℃」及び「９９９％」は仮の値である。
【００３０】
図６は、電力系統図の表示例を示す図である。グラフィック画面におけるシンボル画像の配置は、建物における電力系統を表す計装フローを表現するように、まとめられてもよい。
【００３１】
図７は、熱源系統図の表示例を示す図である。グラフィック画面におけるシンボル画像の配置は、建物における熱源系統を表す計装フローを表現するように、まとめられてもよい。
【００３２】
図２に戻り、選択支援装置４０の構成の説明を続ける。操作部４４は、キーボード、マウス、タッチパネル等の操作デバイスである。診断装置５０を用いて機器の異常等を診断するユーザは、表示部４３に表示されているグラフィック画面を見ながら操作部４４を操作することができる。
【００３３】
操作部４４は、抽出対象の信号を指定するための領域を指定する操作を受け付ける。領域を指定する操作は、例えば、マウスである操作部４４を用いたドラック・アンド・ドロップ操作である。操作部４４は、領域を指定する操作に応じた信号を、信号抽出部４５に送信する。
【００３４】
操作部４４は、信号ＩＤ群を生成するための操作を受け付ける。信号ＩＤ群を生成するための操作は、例えば、マウスである操作部４４を用いたクリック操作である。操作部４４は、信号ＩＤ群を生成するための操作に応じた信号を、信号群生成部４６に送信する。
【００３５】
操作部４４は、期間や周期等の時間に関する条件を指定するための操作を受け付ける。時間に関する条件を指定するための操作は、例えば、マウスである操作部４４を用いたクリック操作である。操作部４４は、時間に関する条件を指定するための操作に応じた信号を、条件部４７に送信する。
【００３６】
図８は、抽出対象の信号の指定の例を示す図である。領域１００に含まれているシンボル画像は、グラフィック画面の定義ファイルにおいて、建物の９階の北西側に設置された外調機１２の信号に付与された信号ＩＤに対応付けられている。領域１１０に含まれているシンボル画像は、グラフィック画面の定義ファイルにおいて、建物の９階の北西側の区画に関する信号に付与された信号ＩＤに対応付けられている。
【００３７】
ユーザは、操作部４４を操作して領域１００を指定することによって、領域１００に配置されているシンボル画像に対応付けられた信号ＩＤを、診断に用いられる複数の信号に付与された信号ＩＤの候補として指定する。ユーザは、領域１１０を同様に指定することによって、領域１１０に配置されているシンボル画像に対応付けられた信号ＩＤを、診断に用いられる複数の信号に付与された信号ＩＤの候補として指定してもよい。なお、ユーザは、複数のグラフィック画面の領域を指定してもよい。
【００３８】
信号抽出部４５は、領域を指定する操作に応じた信号を、操作部４４から取得する。信号抽出部４５は、領域を指定する操作に応じた信号に基づいて、指定された領域に配置されているシンボル画像に対応付けられた信号ＩＤをデータベース４２から抽出する。
【００３９】
なお、信号抽出部４５は、グラフィック画面における領域に配置されているシンボル画像を、他のグラフィック画面に複製及び配置してもよい。
【００４０】
図９は、信号の抽出結果の例を示す図である。信号抽出部４５は、信号の抽出結果を表示領域１２０に表示する。操作部４４は、系統に含める信号ＩＤを追加するための操作キー１３０に対するクリック操作を、信号ＩＤ群を生成するための操作として受け付ける。
【００４１】
図２に戻り、選択支援装置４０の構成の説明を続ける。信号群生成部４６は、信号ＩＤ群を生成するための操作に応じた信号を、操作部４４から取得する。信号群生成部４６は、信号ＩＤ群を生成するための操作に応じた信号に基づいて、信号抽出部４５によって抽出された信号ＩＤを含む信号ＩＤ群（以下「系統」という。）を生成する。
【００４２】
図１０は、信号ＩＤ群の階層の例を示す図である。系統は、組み分け（グルーピング）された１以上の信号ＩＤから構成されている。これによって、選択支援装置４０は、診断の条件を系統ごとに定めることができる。組み分けの階層は、複数でもよい。すなわち、信号群生成部４６は、信号ＩＤ群を生成するための操作に応じた信号に基づいて、１以上の系統を含むグループ（以下「診断グループ」という。）を生成してもよい。これによって、選択支援装置４０は、診断の条件を診断グループごとに定めることができる。
【００４３】
図１１は、系統のデータ構造の例を示す図である。系統のデータ構造は、例えば、ＸＭＬ形式で記述される。これによって、選択支援装置４０は、系統を構造化管理することができる。
【００４４】
図１２は、系統を追加、編集又は削除する操作画面の例を示す図である。操作部４４は、系統を追加、編集又は削除するための操作キーに対するクリック操作を、信号ＩＤ群を生成するための操作として受け付ける。
【００４５】
図１３は、診断グループのデータ構造の例を示す図である。診断グループのデータ構造は、例えば、ＸＭＬ形式で記述される。これによって、選択支援装置４０は、診断グループを構造化管理することができる。
【００４６】
図１４は、診断グループを編集又は削除する操作画面の例を示す図である。操作部４４は、診断グループを編集又は削除するための操作キーに対するクリック操作を、信号ＩＤ群を生成するための操作として受け付ける。
【００４７】
図２に戻り、選択支援装置４０の構成の説明を続ける。条件部４７は、時間に関する条件を指定するための操作に応じた信号を、操作部４４から取得する。ユーザは、表示部４３に表示されている操作画面を見ながら操作部４４を操作することができる。条件部４７は、時間に関する条件を指定するための操作に応じた信号に基づいて、時間に関する条件を定める。
【００４８】
図１５は、診断用トレンドデータを生成するための操作画面の例を示す図である。時間に関する条件は、複数でもよい。例えば、条件部４７は、時系列選択部４８が複数の期間の診断用トレンドデータを生成するように、複数の期間を定めてもよい。例えば、条件部４７は、系統及び診断グループごとに異なる期間を定めてもよい。
【００４９】
条件部４７は、時間に関する条件を指定するための操作に応じた信号を操作部４４から取得していない場合でも、時系列選択部４８が複数の周期の診断用トレンドデータを生成するように、１分周期、１０分周期又は６０分周期等の周期を定めてもよい。
【００５０】
図２に戻り、選択支援装置４０の構成の説明を続ける。時系列選択部４８は、機器群１０の信号の時系列データを、信号ＩＤを検索キーとして、系統及び診断グループごとにデータベース４２から取得する。時系列選択部４８は、時間に関する条件を条件部４７から取得する。時系列選択部４８は、時間に関する条件を満たす時系列データを、データベース４２から取得された時系列データから選択する。時系列選択部４８は、選択結果である診断用トレンドデータを生成する。
【００５１】
図１６は、診断用トレンドデータの生成の進捗を表示する画面の例を示す図である。時系列選択部４８は、診断用トレンドデータの生成の進捗を表す操作画面を、表示部４３に表示する。
【００５２】
図１７は、診断用トレンドデータのファイル一覧の例を示す図である。時系列選択部４８は、診断用トレンドデータのファイルを系統又は診断グループごとに生成する。時系列選択部４８は、時間に関する条件に基づいて、例えば、１カ月ごとの診断用トレンドデータのファイルを生成する。
【００５３】
図１８は、診断用トレンドデータのファイルの例を示す図である。図１８では、診断対象の機器又はセンサの信号に付与された信号ＩＤごとに、診断用トレンドデータが記録されている。なお、時系列選択部４８は、診断用トレンドデータを、リレーショナルデータベース（RDB: Relational Database）に書き込んでもよい。
【００５４】
次に、選択支援装置４０の動作の例を説明する。
図１９は、選択支援装置４０の動作の例を示すフローチャートである。選択支援装置４０は、ユーザによる指示を受け付けた場合、図１９の動作を実行してもよい。選択支援装置４０は、図１９の動作を周期的に実行してもよい。
【００５５】
操作部４４は、複数のシンボル画像が配置されているグラフィック画面における領域を指定する操作を受け付ける（ステップＳ１０１）。信号抽出部４５は、指定された領域に配置されているシンボル画像に対応付けられた信号ＩＤを、データベースから抽出する（ステップＳ１０２）。信号群生成部４６は、抽出された信号ＩＤを含む系統を生成する（ステップＳ１０３）。
【００５６】
信号群生成部４６は、系統を含む診断グループを生成する（ステップＳ１０４）。条件部４７は、時間に関する条件を定める（ステップＳ１０５）。時系列選択部４８は、診断グループに含まれている各信号ＩＤが付与された信号の時系列データを取得する（ステップＳ１０６）。時系列選択部４８は、時間に関する条件を満たすデータを、時系列データから選択する（ステップＳ１０７）。通信部４１は、時系列選択部４８による選択結果である診断用トレンドデータを、診断装置５０に送信する（ステップＳ１０８）。
【００５７】
以上のように、実施形態の選択支援装置４０は、操作部４４と、信号抽出部４５と、信号群生成部４６とを持つ。操作部４４は、信号ＩＤに対応付けられたシンボル画像が配置されているグラフィック画面における領域を指定する操作を受け付ける。信号抽出部４５は、指定された領域に配置されているシンボル画像に対応付けられた信号ＩＤを、データベース４２から抽出する。信号群生成部４６は、抽出された信号ＩＤを含む信号ＩＤ群である系統又は診断グループを生成する。
【００５８】
この構成によって、信号抽出部４５は、指定された領域に配置されているシンボル画像に対応付けられた信号ＩＤを、データベース４２から抽出する。信号群生成部４６は、抽出された信号ＩＤを含む信号ＩＤ群である系統又は診断グループを生成する。これによって、実施形態の選択支援装置４０は、膨大な数の信号からユーザが信号を正しく選択することを支援することができる。
【００５９】
実施形態の選択支援装置４０は、センサ異常診断や省エネルギー診断に利用する複数の信号群の時系列データを、監視制御システム１が収集している多種及び多量な信号（データ）からユーザが短時間かつ高精度に選択することを支援することができる。
【００６０】
監視装置３０、選択支援装置４０及び診断装置５０は、一体でもよい。選択支援装置４０は、監視制御システム１から独立した装置でもよい。選択支援装置４０は、インターネットを介したデータセンター等に配置されてもよい。選択支援装置４０は、クラウドコンピューティングを実行するウェブサーバ装置でもよい。ユーザは、診断用トレンドデータを、選択支援装置４０から診断装置５０に手動でコピーしてもよい。
【００６１】
以上述べた少なくともひとつの実施形態によれば、指定された領域に配置されているシンボル画像に対応付けられた信号ＩＤをデータベースから抽出する信号群生成部と、抽出された信号ＩＤを含む信号ＩＤ群を生成する信号群生成部とを持つことにより、膨大な数の信号からユーザが信号を正しく選択することを支援することができる。
【００６２】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６３】
１…監視制御システム、１０…機器群、１１…冷熱源機器、１２…外調機、１３…温度センサ、１４…ポンプ、１５…流量センサ、２０…制御装置、３０…監視装置、４０…選択支援装置、４１…通信部、４２…データベース、４３…表示部、４４…操作部、４５…信号抽出部、４６…信号群生成部、４７…条件部、４８…時系列選択部、５０…診断装置、５１…通信部、５２…診断部、６０…通信回線、７０…シンボル画像、８０…シンボル画像、１００…領域、１１０…領域、１２０…表示領域、１３０…操作キー
【図１】
2018060461.tif 000003
【図２】
2018060461.tif 000004
【図３】
2018060461.tif 000005
【図４】
2018060461.tif 000006
【図５】
2018060461.tif 000007
【図６】
2018060461.tif 000008
【図７】
2018060461.tif 000009
【図８】
2018060461.tif 000010
【図９】
2018060461.tif 000011
【図１０】
2018060461.tif 000012
【図１１】
2018060461.tif 000013
【図１２】
2018060461.tif 000014
【図１３】
2018060461.tif 000015
【図１４】
2018060461.tif 000016
【図１５】
2018060461.tif 000017
【図１６】
2018060461.tif 000018
【図１７】
2018060461.tif 000019
【図１８】
2018060461.tif 000020
【図１９】
2018060461.tif 000021